(57)【特許請求の範囲】
【請求項１】
コンソールボックス本体に形成された収納箱の開口部を蓋体にて開放可能に閉成し、前記蓋体とコンソールボックス本体とが隣接して配置されたコンソールにおいて、前記蓋体の基端に、蓋体が閉状態の際、車両前後方向を長軸とする長孔を形成して、前記長孔をコンソールボックス本体にスライド、及び回動可能に軸着して、前記蓋体はコンソールボックス本体と離反方向に付勢手段にて付勢され、前記コンソールボックス本体と離反方向に付勢する付勢手段は、蓋体とスペーサー、ベースに回転軸シャフトを通し、さらに蓋体に設けられた連結部の孔と、スペーサーの切欠部に駆動規制シャフトを通し組み付けて、ベースに設定された滑り台形状により回転軸シャフトと駆動規制シャフトの離間距離を縮小して発生する反力にて付勢することを特徴とするコンソールボックス。
【発明の詳細な説明】
【技術分野】
【０００１】
本発明は自動車に備え付けられたリッドを備えたコンソールボックスに関するものである。
【背景技術】
【０００２】
従来から自動車内には、様々な物品などの収納装置が設けられており、自動車の運転席と助手席との間に設置されるコンソールボックスは、車両室内の開口を開放し、物品などの出し入れを行う収納部を有するコンソール本体と、このコンソール本体に配設され、前記収納部の開口部を開放自在に閉成するコンソールリッドとを有している。
従来技術としては、車両室内に開口する物品収納部を有するコンソール本体と、前記コンソール本体に配設されて前記物品収納部の開口部を開放自在に閉成するコンソールリッドとを有し、モータの駆動により前記コンソールリッドの開閉動作を行なわせるコンソールボックスにおいて、一端が前記コンソール本体に第１支軸で軸支され、他端が前記コンソールリッドに第２支軸で軸支される揺動支持部材を設け、前記コンソール本体に、前記第１支軸を中心とする円弧状ラックを設け、前記揺動支持部材の前記第２支軸側に、ピニオンおよび前記モータを設け、前記ピニオンを前記円弧状ラックと噛合させ、前記モータにより前記ピニオンを回転させるよう構成したコンソールボックス（例えば、特許文献１参照）が存在している。
【先行技術文献】
【特許文献】
【０００３】
【特許文献１】特開２００８−１７４０２７号公報（特許請求の範囲の欄、発明の詳細な説明の欄、及び図１〜図１１を参照）
【発明の概要】
【発明が解決しようとする課題】
【０００４】
前記従来技術である特許文献１は、コンソールリッド１２の後端が、コンソール本体１０と隣接しているデザインのリッド付きコンソールが開示されている。
これはリッド１２を開き始めると、リッド支持機構４０の一端である回転中心である第１支軸４２がコンソール本体１０に回動可能に固着され、他端がリッド１２に回動可能に固着されているので、リッド１２の後端とコンソール本体１０の開口の端部２８とが干渉しないものである。
また、作動としては、リッド１２の後端がリッド支持機構４０にてコンソール本体１０に支持されている。また、リッド１２の中間部がコンソール本体１０に固着された支持ピン５０に、凹溝を嵌合してスライドしながら収納箱１１の後方に移動しながら収納されている（全閉、中間、全開の各状態が図示された図３、図５、図６参照）。
しかしながら、前記従来技術では、リッド支持機構４０の一端をコンソール本体１０に回動可能に固着し、他端をリッド１２に回動可能に固着している。また、コンソール本体１０に固着された固着支持ピン５０をリッド１２の凹溝に嵌合させている。
そのため、部品点数・組付工数の増加により製造原価が増加し、さらにコンソールボックスの重量アップにつながる。
【課題を解決するための手段】
【０００５】
上記の課題を解決することができる本発明の第１発明は、請求項１に記載された通りのコンソールボックスであり、次のようなものである。
コンソールボックス本体に形成された収納箱の開口部を蓋体にて開放可能に閉成し、前記蓋体とコンソールボックス本体とが隣接して配置されたコンソールにおいて、前記蓋体の基端に、蓋体が閉状態の際、車両前後方向を長軸とする長孔を形成して、前記長孔をコンソールボックス本体にスライド、及び回動可能に軸着して、前記蓋体はコンソールボックス本体と離反方向に付勢手段にて付勢され、前記コンソールボックス本体と離反方向に付勢する付勢手段は、蓋体とスペーサー、ベースに回転軸シャフトを通し、さらに蓋体に設けられた連結部の孔と、スペーサーの切欠部に駆動規制シャフトを通し組み付けて、ベースに設定された滑り台形状により回転軸シャフトと駆動規制シャフトの離間距離を縮小して発生する反力にて付勢する構成である。
【発明の効果】
【０００６】
本発明に係るコンソールボックスは、上記説明のような構成を有するので、以下に記載する効果を奏する。
（１）蓋体とコンソールボックスが面一のデザインであっても、蓋体の端部がコンソール本体を迂回して移動し、コンソールボックスの収納ボックスの側方に蓋体の基端部が収納されるので、簡単な構造にて、蓋体の開閉機構を提供することができる。
（２）部品点数の削減により、原価・重量の低減が可能である。
（３）蓋体の全開時に余分なリンクが見えないため、蓋体基部の見栄えが向上する。
（４）回転軸シャフトと駆動規制シャフトの２軸で支えるため、高い剛性を有する。
（５）設定スペースに規制がないため、回転軸シャフト周辺の部材を鉄材だけでなく、樹脂を用いることが可能である。
（６）反力が安定して発生するので、蓋体の開閉動作が滑らかで操作性が向上し、結果商品性が向上する。
【図面の簡単な説明】
【０００７】
【図１】本発明のコンソールボックスの構成部材を示す要部拡大概略分解斜視図である。
【図２】本発明のコンソールボックスの蓋体を全開にした状態を示す概略斜視図である。
【図３】本発明のコンソールボックスの蓋体部分の構造を説明する平面図と側面図であり、（ａ）はＡ−Ａ線断面図、（ｂ）はＢ−Ｂ線断面図、（ｃ）はＣ−Ｃ線断面図、（ｄ）はＤ−Ｄ線断面図、（ｅ）はＥ−Ｅ線断面図である。
【図４】本発明のコンソールボックスの蓋体の回動軌跡を示す概略説明図である。
【発明を実施するための形態】
【０００８】
コンソールボックス本体に形成された収納箱の開口部を蓋体にて開放可能に閉成し、前記蓋体とコンソールボックス本体とが隣接して配置されたコンソールにおいて、前記蓋体の基端に、蓋体が閉状態の際、車両前後方向を長軸とする長孔を形成して、前記長孔をコンソールボックス本体にスライド、及び回動可能に軸着して、前記蓋体はコンソールボックス本体と離反方向に付勢手段にて付勢され、前記コンソールボックス本体と離反方向に付勢する付勢手段は、蓋体とスペーサー、ベースに回転軸シャフトを通し、さらに蓋体に設けられた連結部の孔と、スペーサーの切欠部に駆動規制シャフトを通し組み付けて、ベースに設定された滑り台形状により回転軸シャフトと駆動規制シャフトの離間距離を縮小して発生する反力にて付勢するコンソールボックスである。
【実施例１】
【０００９】
以下、本発明の一実施例を添付図面で詳細に説明する。
図１に基づいて、本発明のコンソールボックス本体Ａの組み付けについて説明する。
コンソールボックスの蓋体１とスペーサー３、ベース２に回転軸シャフト４を通し組み付ける。
この際、コンソールボックスの蓋体１に設けられた回転軸シャフト４との連結部１２は長孔１４を形成しておく。
そして、コンソールボックスの蓋体１に設けられた連結部１２の孔と、ローラー６と、スペーサー３の切欠部１５に駆動規制シャフト５を通す。
次に、スペーサー３内にスプリング７を挿入し、スプリング受けである受け部材８を駆動規制シャフト５に引っ掛ける。なお、この受け部材８の裏面は半円状となっており、駆動規制シャフト５に当接して受け部材８のズレが防止でき、結果的にスプリング７の脱落を防いでいる。
そして、ボディコンソール９と、物品等を入れる収納ボックス１０、リアパネル１１とをそれぞれ取り付けてコンソールボックスが完成する。
なお、コンソールボックスの蓋体１後端は、蓋体１が閉まっている際はリアパネル１１に隠れているため、自動車後部座席からの見栄えもよいものである（図２参照）。
【００１０】
次に、図３に基づいて蓋体１の開状態・閉状態時のベース部２の状態変化について説明する。
先ず、本発明のコンソールボックスの蓋体１とベース部２の接続部は、図３（ｅ）のような位置関係になっており、図中矢印のように回転軸シャフト４が移動して蓋体１の開閉動作を行っている。
ここで、各断面部での蓋体１の開閉時の状態について説明する。
蓋体１の開状態では、連結部１２の部分は、回転軸シャフト４が長孔１４の下側に、閉状態では、回転軸シャフト４が長孔１４を移動することによって、蓋体１は、開閉時にリアパネルや収納ボックス１０と干渉しないような構成になっている｛図３（ａ）参照｝。
また、蓋体１のヒンジ部は図３（ｂ）のようになっており、さらにローラー６部付近では、閉状態時にベース２に設定されている滑り台形状１３（図１参照）により、駆動規制シャフト５が案内規制される。従って、コンソールボックスの蓋体１の後端位置が規制され、コンソールボックスの蓋体１が開いた状態では、蓋体１が上方に移行し、リアパネル１１との干渉を防止する構成をしている｛図３（ｃ）参照｝。
そして、スプリング７部付近では、閉状態時にはスプリング７が押圧されていない状態だが、開状態時には図３（ａ）からも理解できるように、回転軸シャフト４と駆動規制シャフト５間の距離Ｌが短くなる。そのため、スプリング７を取り付けた受け部材８が押圧されて蓋体１は開状態を保持するようにしている。そのため、蓋体１を閉状態にしようする際、スプリング７の反力によって、回転軸シャフト４の長孔１４内での移動の補助となる｛図３（ｄ）参照｝。
従って、連結部１２に設けられた長孔１４、ローラー６を案内する滑り台形状１３、スプリング７による反力の連動によって、回転軸シャフト４と駆動規制シャフト５の移動がスムーズとなり、蓋体１の開閉動作がより滑らかになるものである。
【００１１】
本発明は、以上のような構成を採用しているため、コンソールボックスの蓋体１と収納ボックス１０、リアパネル１１の関係が図４のように、蓋体１がリアパネル１１に干渉せずに円弧状に回転しながら開閉を行うコンソールボックスを得ることができたものである。
【産業上の利用可能性】
【００１２】
全ての車両のコンソールボックスの構造に利用することができる。
【符号の説明】
【００１３】
１・・・・蓋体
２・・・・ベース
３・・・・スペーサー
４・・・・回転軸シャフト
５・・・・駆動規制シャフト
６・・・・ローラー
７・・・・スプリング
８・・・・受け部材
９・・・・ボディコンソール
１０・・・・収納ボックス
１１・・・・リアパネル
１２・・・・連結部
１３・・・・滑り台形状
１４・・・・長孔
１５・・・・切欠部
Ａ・・・・コンソールボックス本体
【図１】
0005582869.tif 000002
【図２】
0005582869.tif 000003
【図３】
0005582869.tif 000004
【図４】
0005582869.tif 000005